(57)【要約】【課題】  限られた周波数帯域を利用して時分割多重方式による通信を行い、時間即応性の良好な緊急通信を行うことができる無線通信端末を得ることを目的とする【解決手段】  データ送信処理部３は時分割多重方式により割り当てられた送信タイムスロットのペイロード領域において送信する送信信号を通信データから生成する。緊急送信処理部４は送信タイムスロットのガードタイムにおいて送信する送信信号を緊急通報信号から生成する。ＴＤＭＡ多重化回路１３はデータ送信処理部３及び緊急送信処理部４により生成した信号を上記送信タイムスロットのペイロード領域に、上記緊急送信処理部により生成した信号を送信タイムスロットに格納する。一方、データ受信処理部１６は受信タイムスロットのペイロード領域に格納された受信信号を復調し、緊急受信処理部１７受信タイムスロットのガードタイムに格納された受信信号を復調する。【選択図】        図２
2010118883.tif 000002
【特許請求の範囲】
【請求項１】
時分割多重方式により割り当てられた送信タイムスロットのペイロード領域において送信する送信信号を通信データから生成するデータ送信処理部と、上記送信タイムスロットのガードタイムにおいて送信する送信信号を緊急通報信号から生成する緊急送信処理部と、上記データ送信処理部により生成した信号を上記送信タイムスロットのペイロード領域に、上記緊急送信処理部により生成した信号を上記送信タイムスロットのガードタイムに格納するＴＤＭＡ多重化手段と、時分割多重方式により割り当てられた受信タイムスロットのペイロード領域に格納された受信信号を復調して通信データを再生するデータ受信処理部と、上記受信タイムスロットのガードタイムに格納された受信信号を復調して緊急通報信号を再生する緊急受信処理部とを備えた無線通信端末。
【請求項２】
上記緊急送信処理部は、上記データ送信処理部により生成された信号よりも電力レベルの低い信号を生成することを特徴とする請求項１に記載の無線通信端末。
【請求項３】
上記緊急送信処理部は緊急通報信号を拡散変調して送信信号を生成し、上記緊急受信処理部は受信信号を逆拡散復調して緊急通報信号を再生することを特徴とする請求項１に記載の無線通信端末。
【発明の詳細な説明】
【技術分野】
【０００１】
この発明は、時間分割多重方式によって双方向の無線通信を行う無線通信端末に関するものである。
【背景技術】
【０００２】
例えば、特許文献１には従来の時分割多重通信回線用いて緊急通報を行う無線通信が記載されている。特許文献１に記載された緊急通報の方式は、基地局及び移動局に使用される無線電話装置が、時分割多重回線の各タイムスロットの電波状態を把握するための手段を有し、緊急通信用に割り当てられたスロットを各スロットの電波状態を把握した時点で最も電波状態が良好なスロットに割り当てるように構成されたものであり、このような構成によって、同時に通話可能な無線端末の数を減らさずに緊急通報することができるとするものであった。
【０００３】
【特許文献１】特開２００５−０５７６４３
【発明の開示】
【発明が解決しようとする課題】
【０００４】
この従来の緊急通信方式では、緊急通信のための伝搬時間を短くしようとすると緊急通信用のスロットを数多く配置する必要が生じるために、通常の通信容量が減少するという問題点があった。また、一旦、緊急通信用のスロットを設定したのちは、通常の通信がその緊急通信用スロット以外に限られることとなり、通常の通信が制限されるという問題点もあった。さらには、タイムスロットを使用して各端末から緊急通報を送信するので、そのタイミング周期よりも短い間隔での緊急通報によるデータ交換を行うことができず、そのため、時分割多重方式による緊急通報の場合、周波数分割多重方式や符号分割多重方式による通信において緊急通報を通信信号中に重畳する場合に比べ、時間即応性を高めることができないという問題点もあった。
【０００５】
この発明は、上記のような問題点を解決するためになされたもので、限られた周波数帯域を利用して時分割多重方式による通信を行い、時間即応性の良好な緊急通信を行うことができる無線通信端末を得ることを目的とする。
【課題を解決するための手段】
【０００６】
請求項１の発明に係る無線通信端末は、時分割多重方式により割り当てられた送信タイムスロットのペイロード領域において送信する送信信号を通信データから生成するデータ送信処理部と、上記送信タイムスロットのガードタイムにおいて送信する送信信号を緊急通報信号から生成する緊急送信処理部と、上記データ送信処理部により生成した信号を上記送信タイムスロットのペイロード領域に、上記緊急送信処理部により生成した信号を上記送信タイムスロットのガードタイムに格納するＴＤＭＡ多重化手段と、時分割多重方式により割り当てられた受信タイムスロットのペイロード領域に格納された受信信号を復調して通信データを再生するデータ受信処理部と、上記受信タイムスロットのガードタイムに格納された受信信号を復調して緊急通報信号を再生する緊急受信処理部とを備えたものである。
【０００７】
請求項２の発明に係る無線通信端末は、請求項１の発明に係る無線通信端末において、上記緊急送信処理部は、上記データ送信処理部により生成された信号よりも電力レベルの低い信号を生成するものである。
【０００８】
請求項３の発明に係る無線通信端末は、請求項１の発明に係る無線通信端末において、上記緊急送信処理部は緊急通報信号を拡散変調して送信信号を生成し、上記緊急受信処理部は受信信号を逆拡散復調して緊急通報信号を再生するものである。
【発明の効果】
【０００９】
請求項１乃至請求項３に記載の発明によれば、無線通信端末は、タイムスロットのガードタイムにおいて緊急通報信号を送信し、これを受信するので、緊急通報の即時性を高めることができる。また、緊急通報信号の電力レベルを下げることにより、或いは、緊急通報信号を拡散変調することにより、遠方の無線通信端末での受信波干渉を抑制することができる。
【発明を実施するための最良の形態】
【００１０】
実施の形態１
【００１１】
この発明の実施の形態１に係る無線通信端末について、図１乃至図９を用いて説明する。図１はこの発明の実施の形態１に係る無線通信端末を含む通信システムの全体構成を示す構成図であり、図２はこの発明の実施の形態１に係る無線通信端末の機能ブロック図である。図１において、１は通信システムにおける時分割多重方式の回線を統率するリファレンス局であり、２（図１中の符号は２ａ乃至２ｃ）はリファレンス局１に従属して、端末間での通信を行う無線通信端末である。リファレンス局１は時分割多重回線のフレームタイミングとタイムスロットを規定し、無線通信端末２ａ乃至２ｃが使用するタイムスロットを管理している。例えば、リファレンス局１から１フレーム長ごとに区切り信号であるフレームタイミング信号（微小時間長さのバースト信号）を送信し、これを無線通信端末２ａ乃至２ｃで受信することにより、時分割多重回線のフレーム同期が計られ、このフレーム同期にしたがって、プリアサインされたタイムスロット位置を特定することができる。また、タイムスロットを区切るスロットタイミング信号をリファレンス局１から送信することによっても、このスロットタイミング信号を無線通信端末２ａ乃至２ｃで受信して、タイムスロット位置を特定することができる。リファレンス局１と無線通信端末２ａ乃至２ｃの位置関係については、様々な状況が考えられるが、図１には、その例として、通信中の無線通信端末２ａ及び２ｂは近距離にあってリファレンス局１からは遠距離にあり、また無線通信端末２ｃも無線通信端末２ａ及び２ｂから遠距離にあるものを記載している。
【００１２】
図２において、３はタイムスロットのペイロード領域内において送信する通信データ（以下、ＴＤＭＡデータという。ＴＤＭＡは、Ｔｉｍｅ  Ｄｉｖｉｓｉｏｎ  Ｍｕｌｔｉｐｌｅ  Ａｃｃｅｓｓの略である。）を信号処理し送信信号を生成するデータ送信処理部、４はタイムスロットのペイロード領域外（ガードタイム）において送信する緊急通報信号及び緊急通報応答信号を信号処理し送信信号を生成する緊急送信処理部である。データ送信処理部３において、５はＴＤＭＡデータを読み込み、フレーム化等の処理を行って出力する送信データ処理部であり、送信データ処理部５からの出力信号は、符号化回路６により符号化され変調器７により変調される。緊急送信処理部４において、８はタイムスロットのペイロード領域外により送信する緊急通報信号及び緊急通報応答信号を読み込み、フレーム化等の処理を行って出力する送信緊急通報処理部であり、送信緊急通報処理部８からの出力信号は、符号化回路９により符号化され、変調器１０により変調され、減衰器１１により所定の信号レベルに減衰される。緊急通報信号及び緊急通報応答信号を拡散変調する場合には、変調器１０及び減衰器１１の代わりに拡散変調器１２を用いて緊急通報信号及び緊急通報応答信号を拡散変調する。１３は、通常は変調器７から出力するＴＤＭＡデータの送信信号をタイムスロット内のペイロード領域に時間割り当てし、緊急通報がある場合には、減衰器９（又は拡散変調器１２）からの緊急通報信号及び緊急通報応答信号をタイムスロット中のペイロード領域外（ガードタイム）に挿入するＴＤＭＡ多重化回路である。タイムスロットに割り当てられ、適宜緊急通報信号及び緊急通報応答信号が多重化された送信信号は、送信信号レベルを減衰器１４で調整し、図示しないアンテナから送出される。
【００１３】
一方、アンテナにより受信した相手端末からの変調波は、分配器１５により分配される。１３は分配器１５の一方の出力信号からＴＤＭＡデータを受信再生するデータ受信処理部であり、１４は分配器１４の他方の出力信号から緊急通報信号及び緊急通報応答信号を受信再生する緊急受信処理部である。１８は分配器１５の一方の出力信号を復調するＴＤＭＡ復調器であり、１９はタイムスロット位置に同期する同期信号を出力するＴＤＭＡ同期回路である。前述のように、フレームタイミング信号やスロットタイミング信号を受信し、これに同期したタイミング信号をＴＤＭＡ同期回路１９からＴＤＭＡ復調器１８及び後述の復調器２２（又は逆拡散復調器２３）へ入力し、入力されたタイミング信号に基づいて、復調や逆拡散復調の処理が行われる。ＴＤＭＡ復調器１８により復調されたＴＤＭＡデータは、復号化回路２０で復号され、受信データ処理部２１によりデフレーム化されてデータ再生される。２２は分配器１５の他方の出力を復調する復調器であり、復調器２２により復調された受信信号は、復号化回路２４により復号化され、受信緊急通報処理部２５によりデフレーム化されて緊急通報信号及び緊急通報応答信号が再生される。また、緊急通報信号及び緊急通報応答信号が拡散変調されて送信される場合には、復調器２２の代わりに逆拡散復調器２３を用い、受信信号を逆拡散変調して復号化回路２４へ出力する。なお、ＴＤＭＡ復調器１８はＴＤＭＡ同期回路１９からのタイミング信号に基づきタイムスロット内のペイロード領域の受信信号を復調しており、一方、復調器２２及び逆拡散復調器２３はＴＤＭＡ同期回路１９からのタイミング信号に基づきタイムスロット内のペイロード領域外（ガードタイム）の受信信号を復調するものである。
【００１４】
次に無線通信端末２間での時分割多重通信のタイムスロットについて説明する。図３はこの発明の実施の形態１に係る無線通信端末による通信のタイムスロット構造を表わす模式図である。図３（ａ）に示すように１つのタイムスロット内はペイロード領域２６とその領域外のガードタイムよりなる。ガードタイムは、距離が離れている無線通信端末２からの無線波が伝播遅延によって干渉することを抑制するために設けられた不送信時間帯であり、無線通信端末の送信電力に基づく最大伝播距離を考慮してシステム的に設定される。一方、近距離にある無線通信端末２間のみでみると、伝播遅延は小さくガードタイムに信号を送信したとしても、そのガードタイムを含むタイムスロット内で当該信号が受信される限りにおいて、当該無線通信端末２間での干渉は生じない。そこで、図３（ｂ）に示すように緊急通報信号２７をガードタイムに割り付けるが、遠方に位置する無線通信端末２では緊急通報信号がタイムスロット内のペイロード領域に干渉してくるので、その影響が少なくなるように、緊急通報信号及び緊急通報応答信号の送信電力を低減化し、また、緊急通報信号及び緊急津方応答信号を拡散変調して送信するのが好適である。即ち、図１を参照して、近距離にある２つの無線通信端末２ａと２ｂとの間で通信が行われる場合に、通常は無線通信端末２ａ、２ｂに割り当てられたタイムスロットのペイロード領域を使用したデータ伝送を行うが、緊急通報信号及び緊急通報応答信号をガードタイムに送信することを許容し、このガードタイムに割り付けた緊急通報信号及び緊急通報応答信号が、遠方に位置する無線通信端末２ｃでも受信されるが、その受信レベルが十分に小さくなるように、必要最小限な送信レベルで送信し、あるいは、拡散変調して送信する。
【００１５】
図４はこの発明の実施の形態１に係る無線通信端末による送受信のタイミングを表わすタイミングチャート図である。図１に示したように無線通信端末２ａ及び２ｂは近距離に位置し、これらの無線通信端末２ａ及び２ｂと、リファレンス局１及び無線通信端末２ｃとは遠距離にあり、リファレンス局１及び無線通信端末２ｃは近距離に位置しているものとする。通信は、無線通信端末２ａと２ｂとの間と、端末としてのリファレンス局１と無線通信端末２ｃとの間で行われているものとし、各タイムスロットＴＳ１、ＴＳ２、ＴＳ３、ＴＳ４は、順にリファレンス局１、無線通信端末２ｃ、無線通信端末２ａ、無線通信端末２ｂにより使われているものとする。リファレンス局１からＴＳ１で送信された送信信号ＴＸ１は無線通信端末２ｃにおいて受信している。無線通信端末２ｃからＴＳ２で送信された送信信号ＴＸ２はリファレンス局１において受信している。これらの送信信号ＴＸ１及びＴＸ２は、無線通信端末２ａ及び２ｂにも到達するが、伝播距離が長いため受信レベルは低い。次に無線通信端末２ａからＴＳ３で送信された送信信号ＴＸ３は無線通信端末２ｂにおいて受信しており、無線通信端末２ｂからＴＳ４で送信されたＴＸ４は無線通信端末２ａで受信している。これらの送信信号ＴＸ３及びＴＸ４は、リファレンス局１及び無線通信端末２ｃにも到達するが、伝播距離が長いため受信レベルは低い。無線通信端末２ｂは送信信号ＴＸ４に引続きタイムスロットＴＳ４内で緊急通報信号２８を送信しており、近距離にある無線通信端末２ａは同じタイムスロットＴＳ４内でこれを受信する。図４に示す例では、緊急通報信号長さが十分に時間的に短く、かつ遠距離にあるリファレンス局１及び無線通信端末２ｃにおいてもタイムスロットＴＳ４内で緊急通報信号２８が受信される場合を示しており、この緊急通報信号２８が他のタイムスロットに干渉することはない。無線通信端末２ａは、無線通信端末２ｂからの緊急通報信号２８を受信したのちに緊急通報応答信号２９を無線通信端末２ｂへ送信するようにしても良い。緊急通報応答信号２９は緊急通報信号２８と同様にタイムスロット内のペイロード領域２０外（ガードタイム）に割り当てる信号であり、図４に示すように無線通信端末２ａ用に割り当てられたタイムスロットではないタイムスロットＴＳ１において送信することが許容される。図４に示す例では、緊急通報応答信号２９は、近距離にある無線通信端末２ｂは同じタイムスロットＴＳ１内で受信し、緊急通報応答信号長さが十分に時間的に短く、かつ遠距離にあるリファレンス局１及び無線通信端末２ｃにおいてもタイムスロットＴＳ１内で受信されており、他のタイムスロットに干渉するものではない。
【００１６】
図５はこの発明の実施の形態１に係る無線通信端末による送受信のタイミングの別の一例を表わすタイミングチャート図である。図５に示す最初のタイムスロットＴＳ１からＴＳ３における送受信は図４に示すものと同様であるので説明を省略する。無線通信端末２ｂからＴＳ４で送信されたＴＸ４は無線通信端末２ａで受信している。送信信号ＴＸ４は、リファレンス局１及び無線通信端末２ｃにも到達するが、伝播距離が長いため受信レベルは低く、またタイムスロットＴＳ４のペイロード領域及びガードタイム内に収まっている。無線通信端末２ｂは送信信号ＴＸ４に引続きタイムスロットＴＳ４内で緊急通報信号２８を送信しており、近距離にある無線通信端末２ａは同じタイムスロットＴＳ４内でこれを受信する。図５に示す例では、緊急通報信号長さが時間的に長い（ガードバンドに占める緊急通報信号の割合が大きいという意味のほか、遠方に位置する無線通信端末が使用する次のタイムスロットにかかるほど通信距離との関係で長いと認められる意味を含む）ため、遠距離にあるリファレンス局１及び無線通信端末２ｃにおいて次のタイムスロットＴＳ１で受信される場合を示しており、この緊急通報信号２８が干渉しないように、減衰器１１によって送信電力を低くしている。この減衰器１１で減衰させる送信電力レベルは、近距離にある無線通信端末２ａが受信し得る最小限のレベルまで下げることができる。緊急通報信号２８は、リファレンス局１及び無線通信端末２ｃにおいて受信されるが、受信電力が小さいので干渉の影響が低減化されており、リファレンス局１と無線通信端末２との間のタイムスロットＴＳ１での通信が行える。無線通信端末２ａは、無線通信端末２ｂからの緊急通報信号２８を受信したのちに緊急通報応答信号２９を無線通信端末２ｂへ送信するようにしても良い。緊急通報応答信号２９は緊急通報信号２８と同様にタイムスロット内のペイロード領域２６外に割り当てる信号であり、図５に示すように無線通信端末２ａ用に割り当てられたタイムスロットではないタイムスロットＴＳ１において送信することが許容される。図５に示す例では、緊急通報応答信号２９は、近距離にある無線通信端末２ｂは同じタイムスロットＴＳ１内で受信する。この際、緊急通報応答信号２９は減衰器９によって送信レベルが低減化されており、リファレンス局１及び無線通信端末２ｃにおいてもタイムスロットＴＳ２内で受信されるものの干渉の影響は低減化されており、リファレンス局１と無線通信端末２との間のタイムスロットＴＳ２での通信が行える。
【００１７】
図６はこの発明の実施の形態１に係る無線通信端末による送受信のタイミングの更に別の一例を表わすタイミングチャート図である。図６に示す最初のタイムスロットＴＳ１からＴＳ３における送受信は図４に示すものと同様であるので説明を省略する。無線通信端末２ｂからＴＳ４で送信されたＴＸ４は無線通信端末２ａで受信している。送信信号ＴＸ４は、リファレンス局１及び無線通信端末２ｃにも到達するが、伝播距離が長いため受信レベルは低く、またタイムスロットＴＳ４のペイロード領域及びガードタイム内に収まっている。無線通信端末２ｂは送信信号ＴＸ４に引続きタイムスロットＴＳ４内で緊急通報信号２８を送信しており、近距離にある無線通信端末２ａは同じタイムスロットＴＳ４内でこれを受信する。図５に示す例では、緊急通報信号長さが時間的に長い（ガードバンドに占める緊急通報信号の割合が大きいという意味のほか、遠方に位置する無線通信端末が使用する次のタイムスロットにかかるほど通信距離との関係で長いと認められる意味を含む）ため、遠距離にあるリファレンス局１及び無線通信端末２ｃにおいて次のタイムスロットＴＳ１で受信される場合を示しており、この緊急通報信号２８が干渉しないように、拡散変調器１２によって緊急通報信号を拡散変調している。近距離にある無線通信端末２ａは受信信号を逆拡散復調することにより緊急通報信号を受信することができる。拡散変調された緊急通報信号２８は、リファレンス局１及び無線通信端末２ｃにおいて受信されるが、電力スペクトラム密度が小さいので干渉の影響が低減化されており、リファレンス局１と無線通信端末２との間のタイムスロットＴＳ１での通信が行える。無線通信端末２ａは、無線通信端末２ｂからの緊急通報信号２８を受信したのちに緊急通報応答信号２９を無線通信端末２ｂへ送信するようにしても良い。緊急通報応答信号２９は緊急通報信号２８と同様にタイムスロット内のペイロード領域２６外に割り当てる信号であり、図６に示すように無線通信端末２ａ用に割り当てられたタイムスロットではないタイムスロットＴＳ１において送信することが許容される。図６に示す例では、緊急通報応答信号２９は、近距離にある無線通信端末２ｂは同じタイムスロットＴＳ１内で受信信号を逆拡散復調して受信する。この際、緊急通報応答信号２９は拡散変調器１２によって拡散変調されており、リファレンス局１及び無線通信端末２ｃにおいてもタイムスロットＴＳ２内で受信されるものの電力スペクトラム密度が小さく干渉の影響は低減化されており、リファレンス局１と無線通信端末２との間のタイムスロットＴＳ２での通信が行える。
【００１８】
次に無線通信端末間の距離と干渉の有無について説明する。図７はこの発明の実施の形態１に係る無線通信端末の端末間距離と受信電力との関係を表わす特性図である。図７は、近距離にある無線通信端末間で緊急通報を行っている場合に、遠方の無線通信端末に干渉が生じるかどうかを示している。図７において直線３０（太線の線分３１及び線分３２を含む）は、緊急通報信号を送信する無線通信端末２ｂからの距離に対する、受信側の無線通信端末（２ａ、２ｃ）での受信電力の関係を表わしており、距離が大きくなるほど受信電力が小さくなる。図７において、距離Ａ以下に位置する無線通信端末２ａは受信電力は太線線分３１上にあり受信電力限界以上となるので緊急通報信号を受信することができる。距離Ｂ以上に位置する無線通信端末２ｃ（実線で囲んだ端末２ｃ）は緊急通報信号の受信電力が太線線分３２上にあり干渉となる電力レベル以下となるので、干渉の影響を受けずに通信が行える。しかし、距離Ａ以上距離Ｂ以下に位置する無線通信端末２ｃ（点線で囲んだ端末２ｃ）は緊急通報信号の受信レベルが大きく、この無線通信端末２ｃは、ガードタイムに伝送される緊急通報信号が干渉して通信を行えなくなる。
【００１９】
この干渉を解消するために緊急通報信号の送信電力を下げる制御を行った場合について、図８に基づき説明する。図８はこの発明の実施の形態１に係る無線通信端末の端末間距離と受信電力との関係につき緊急通報信号の送信電力を下げた場合の特性を表わす特性図である。送信電力レベルを下げた緊急通報信号を送信する無線通信端末２ｂからの距離が距離Ｂ１（＜Ｂ）以上にある、実線で示す無線通信端末２ｃ及び点線で示す無線通信端末２ｃでの緊急通報信号の受信電力は、干渉となる電力レベル以下となるので、干渉の影響を受けずに通信が可能となる。その反面、緊急通報信号の送信電力レベルを下げているので、緊急通報信号を受信することができる距離は距離Ａ１（＜Ａ）以下となる。
【００２０】
図９はこの発明の実施の形態１に係る無線通信端末の端末間距離と受信電力との関係につき緊急通報信号を拡散変調した場合の特性を表わす特性図である。拡散変調によって緊急通報信号の電力スペクトラム密度は低くなり、逆拡散復調をしない無線通信端末２ｃでの緊急通報信号の受信レベルは、直線３０（太線線分３２を含む）上にある。従って、緊急通報信号を送信する無線通信端末２ｂからの距離が距離Ｂ１（＜Ｂ）以上にある、実線で示す無線通信端末２ｃ及び点線で示す無線通信端末２ｃでの緊急通報信号の受信電力は、干渉となる電力レベル以下となるので、干渉の影響を受けずに通信が可能となる。一方、逆拡散復調を行う無線通信端末２ａでの緊急通報信号の受信レベルは逆拡散の効果により太線線分３１上にあり受信電力限界以上となるので、距離Ａ以下に位置する無線通信端末２ａは緊急通報信号を受信することができる。
【００２１】
以上のように、この発明の実施の形態１に係る無線通信端末２は、近距離にある通信中の他の無線通信端末２に対して緊急通報信号及び緊急通報応答信号を、タイムスロット内のペイロード領域外（ガードタイム領域）で送信するものであり、これらの送信にあたり、緊急通報信号及び緊急応答信号を減衰させる手法（図５及びこの図に対する上記説明により記載した手法）と、緊急通報信号を拡散変調して電力スペクトラム密度を小さくする手法（図６及びこの図に対する上記説明により記載した手法）とを採用することができる。このように緊急通報信号及び緊急通報応答信号に対して減衰や拡散変調を与えることにより、近距離にある通信中の他の無線通信端末２での受信（拡散変調の場合は受信時に逆拡散復調が必要である）ができる状態とし、一方、遠方にあるその他の無線通信端末２では、その緊急通報信号及び緊急通報応答信号の信号レベルが低く干渉しないようにすることができる。また、タイムスロット中のガードタイムに緊急通報信号及び緊急通報応答信号を挿入できるので、緊急通報の発生から送信までのシステム的な待機時間が短く、緊急通報の即時性を高めることができる。さらに、緊急通報信号を受信した無線通信端末２は、緊急通報応答信号を生成した後、受信したタイムスロットに継続するタイムスロットのガードタイムにおいて、生成した緊急通報応答信号を送信することができるので、緊急応答の即時性も高めることができる。尚、図４乃至図６では、無線通信端末２ａが緊急通報応答信号２９をタイムスロットＴＳ１で送信しているが、後続するＴＳ２、ＴＳ３等で送信するようにしてもよい。
【図面の簡単な説明】
【００２２】
【図１】この発明の実施の形態１に係る無線通信端末を含む通信システムの全体構成を示す構成図である。
【図２】この発明の実施の形態１に係る無線通信端末の機能ブロック図である。
【図３】この発明の実施の形態１に係る無線通信端末による通信のタイムスロット構造を表わす模式図である。
【図４】この発明の実施の形態１に係る無線通信端末による送受信のタイミングを表わすタイミングチャート図である。
【図５】この発明の実施の形態１に係る無線通信端末による送受信のタイミングの別の一例を表わすタイミングチャート図である。
【図６】この発明の実施の形態１に係る無線通信端末による送受信のタイミングの更に別の一例を表わすタイミングチャート図である。
【図７】この発明の実施の形態１に係る無線通信端末の端末間距離と受信電力との関係を表わす特性図である。
【図８】はこの発明の実施の形態１に係る無線通信端末の端末間距離と受信電力との関係につき緊急通報信号の送信電力を下げた場合の特性を表わす特性図である。
【図９】はこの発明の実施の形態１に係る無線通信端末の端末間距離と受信電力との関係につき緊急通報信号を拡散変調した場合の特性を表わす特性図である。
【符号の説明】
【００２３】
１  リファレンス局
２ａ、２ｂ、２ｃ  無線通信端末
３  データ送信処理部
４  緊急送信処理部
１３  ＴＤＭＡ多重化回路
１６  データ受信処理部
１７  緊急受信処理部
【図１】
2010118883.tif 000003
【図２】
2010118883.tif 000004
【図３】
2010118883.tif 000005
【図４】
2010118883.tif 000006
【図５】
2010118883.tif 000007
【図６】
2010118883.tif 000008
【図７】
2010118883.tif 000009
【図８】
2010118883.tif 000010
【図９】
2010118883.tif 000011